(57)【要約】【課題】眼鏡のフレーム内でレンズの回転を抑止する。【解決手段】フレーム部材に取り付けられたレンズと、レンズに設けられた穴を貫通してフレーム部材に固定される挿入部材からなる取付アセンブリとを有する眼鏡レンズ取付アセンブリにおいて、挿入部材及び穴がそれぞれ互いに同一方向に延び、かつ重合する円筒形状をなす。挿入部材は軸方向に延びるネジ穴を有し、ネジ穴に螺入される取付ネジによってレンズが挿入部材に固定される。【選択図】　　　図１
0003098774.tif 000002
【実用新案登録請求の範囲】
【請求項１】
フレーム部材に取り付けられたレンズと、
レンズに設けられた穴を貫通してフレーム部材に固定される挿入部材からなる取付アセンブリとを備え、
前記挿入部材及び前記穴はそれぞれ、互いに同方向に延び、かつ重合箇所を有する複数の円筒形からなり、前記挿入部材において軸方向に延びるネジ穴内に螺入された取付ネジにより前記レンズが挿入部材に対して固定される眼鏡レンズの取付アセンブリ。
【請求項２】
前記挿入部材及び前記穴は、互いに同方向に延びる２つの重合する円筒形からなる請求項１に記載のアセンブリ。
【請求項３】
前記挿入部材が前記フレーム部材に結合される請求項１又は請求項２に記載のアセンブリ。
【請求項４】
前記挿入部材はその端部に突部又は拡張部を有する請求項１乃至請求項３のうちいずれか一項に記載のアセンブリ。
【請求項５】
眼鏡レンズ取付具を有する請求項１乃至請求項４のうちいずれか一項に記載の眼鏡又はサングラス。
【考案の詳細な説明】
【０００１】
【考案の属する技術分野】
本考案は、眼鏡レンズの取付具に係り、詳しくは、特に縁無し眼鏡あるいは半縁眼鏡に関するが、それらに限定するものではなく、ネジ又はレンズを貫通する取付具を用いて、レンズがアーム又はノーズブリッジ（本明細書においては、フレーム部材とする。）に固定される眼鏡に関する。
【０００２】
上記したように、本考案は、フレームを有する眼鏡に関するものであり、アームが蝶番でレンズに固定される眼鏡及び可撓性を有するアームを組み込んだ蝶番のないフレームに固定される眼鏡に関する。本考案は、ノーズブリッジを有する眼鏡にも関する。
【０００３】
【従来の技術】
一本のネジを用いてレンズを眼鏡フレームに取り付けると、レンズが眼鏡フレームに対して回転することがあるため、この方法は好ましくない。このため、２つの取付ネジを使用する方法が採用されてきた。しかし、近接する２箇所に穴を設けることは、レンズの強度を弱めることになり、製造時又は使用時にレンズにひびが入る虞がある。従って、軽量の縁無し眼鏡レンズの取付具は製造が困難である。
【０００４】
【考案が解決しようとする課題】
本考案の目的はサングラスを含む半縁無しや縁無しの眼鏡用のレンズの取付具を提供することにある。
【０００５】
【課題を解決するための手段】
本考案によれば、眼鏡レンズ取付アセンブリは、フレーム部材に取り付けられるレンズと、アーム又は蝶番アセンブリを有するフレームと、ノーズブリッジとを有し、前記取付アセンブリは、レンズに設けられた穴を貫通してフレーム部材に固定される挿入部材からなり、前記挿入部材及び前記穴はそれぞれ、互いに同方向に延び、かつ重合部分を有する複数の円筒形よりなり、前記挿入部材に形成した軸方向に延びるネジ穴に対して取付ネジが螺入されることにより、レンズが挿入部材に固定される。
【０００６】
前記挿入部材及び前記穴は、互いに同方向に延びる２つの重合する円筒形状をなすことが好ましい。
挿入部材は、接着剤やハンダ付けやろう付けにより、更には係合やその他の圧入方法によりフレーム部材に接合される。好ましい実施例においては、挿入部材はフレーム部材の前方又は後方へ向かって延設され、レンズに係合してこれを支持する。
【０００７】
別例においては、挿入部材はその一端部に突部又は拡張部を有し、他端部では取付ネジを螺入し、レンズ及びフレーム部材を固定する。
好ましい別例において、突部はレンズの前方又は後方へ向かって延設され、前記ネジはフレーム部材を貫通して挿入部材の後側又は前側にそれぞれ位置するネジ穴に挿入される。
【０００８】
本考案において、２つの重合する穴をドリリングすることにより、レンズを貫通させることができる。近傍において別々の２つの穴を互いに離間して配置すると、強度が低下するが、本考案ではこれが回避されている。さらに、使用時において、レンズがフレームに対して回転する虞なしに、一本の取付ネジを使用することもできる。従って、強固で軽量の取付アセンブリを提供できる。
【０００９】
眼鏡レンズの取付具の製造方法は、互いに同一方向に延びる２つの重合する穴を形成して、同方向に延びる一対の重合する円筒形により１つの開口を形成し、開口の内壁を係合する形状をなし、長さ方向に延びるネジ穴を有する挿入部材を開口内に配置し、フレーム部材を挿入部材に固定し、ネジ穴に係合されたネジを用いて、レンズをフレーム部材に固定する。
【００１０】
実施例においては、穴の中心間の距離が穴の半径の０．２〜１．５倍になるように穴を形成し、好ましくは、各穴の半径の約半分の距離になるようにする。
例えば、仮に各穴の半径が１ｍｍであり、穴又は挿入部材の幅、すなわち直径が２ｍｍとなる場合には、挿入部材の長さは３ｍｍとなる。実施例においては、ネジ穴は、半径０．７ｍｍであってもよく、ネジ穴は挿入部材の軸方向に延びるように形成される。
【００１１】
【考案の実施の形態】
図１は、本考案に係る眼鏡レンズアセンブリの分解図である。レンズ１は、外縁部に近接する２つの穴６，６’を有する。好ましい実施例においては、各穴の半径は１ｍｍであり、これら中心間の距離は、眼鏡の使用状態における水平方向に１．５ｍｍ離間するように穴が開けられる。同様の大きさを有する穴５，５’はフレーム部材４を貫通する。フレーム部材４は、蝶番アセンブリ又はノーズブリッジであってもよい。別例として、穴５，５’をフレーム部材４に対して一部のみ穿設し、挿入部材を支持するための止まり穴を形成してもよい。
【００１２】
図２及び図３は、図１の挿入部材２を示す平面図及び正面図である。平面視において、挿入部材は２つの重合する円で構成され、その中心間の距離は半径の半分であり、数字の８に類似する形状を有するように形成されている。ネジ穴３は、挿入部材を軸方向に貫通し、取付ネジ７が螺合される。本実施例においては、挿入部材２はアーム又は他のフレーム部材４に対して止まり穴５，５’においてハンダ付けされ、固定ラグを形成する。固定ラグ上において、レンズ１をネジ７の頭部８により固定してもよい。
【００１３】
図４は、従来の蝶番１１を有するアーム１０を示す。レンズ係合部１２は挿入部材１３を有し、レンズ（図示しない）を支持する。この実施例においては、挿入部材１３は後方に指向している。なお、挿入部材を前方に指向させ、レンズを後方から支持させるようにしてもよい。
【００１４】
同一方向に延びる２つの重合する円筒形状部材２で構成される挿入部材は、穴６，６’及び５，５’中に密嵌されて支持されるような大きさとなっている。
挿入部材は、ハンダ付けや、ろう付け、接着剤を用いて、又は係入、その他の圧入方法により、アーム４内に固定される。挿入部材２は、アームからレンズの厚み６と等しい長さにわたって延びる。
【００１５】
挿入部材２は、取付ネジ８の軸部７を支持するように軸方向に延びるネジ穴を有する。ネジ８の頭部は、レンズ１表面に係合し、レンズをアーム４に固定するため、レンズが堅固に支持される。
【００１６】
図５は、図１のアセンブリの断面図を示す。アーム又はブリッジ部材４は、図２に示すような、互いに同一方向に延びる２つの重合する円筒形状穴５，５’を有する。挿入部材２は、両穴に密嵌され、接着剤やろう付け、ハンダ付けにより固定される。挿入部材はレンズ１の補助穴６，６’において支持される。
【００１７】
取付ネジの軸部７は、挿入部材２のネジ穴において支持される。ネジの頭部８はレンズ１の表面に延び、レンズに係合して、レンズをフレーム部材４に固定する。
【００１８】
【考案の効果】
以上詳述したように、本考案はフレーム内でレンズの回転が抑止されるという優れた効果を発揮する。
【図面の簡単な説明】
【図１】本考案の取付アセンブリの分解図。
【図２】挿入部材の平面図。
【図３】図２の挿入部材の正面図。
【図４】本考案のアームと蝶番アセンブリを示す斜視図。
【図５】アセンブリの断面図。
【符号の説明】
１・・・　レンズ、２・・・　挿入部材、３・・・　ネジ穴、４・・・　アーム又は他のフレーム部材、５，５’・・・　穴、６，６’・・・　穴、７・・・　取付ネジ、８・・・　ネジ頭部、１０・・・　アーム、１１・・・　蝶番、１２・・・　レンズ係合部、１３・・・　挿入部材。
【図１】
0003098774.tif 000003
【図２】
0003098774.tif 000004
【図３】
0003098774.tif 000005
【図４】
0003098774.tif 000006
【図５】
0003098774.tif 000007